(57)【要約】【課題】壁掛け絵画、写真の本質的機能を保ちつつ、省電力を図ることができる映像表示装置を提供する。【解決手段】静止画データを記憶する記憶部２５と、記憶部２５に記憶された静止画データに基づいて静止画を表示し、又は放送信号に係る映像を表示する映像表示部２４と、外光の明るさを検出する光センサ２１０とを備え、光センサ２１０の検出結果に応じて映像表示部２４の動作を制御するようにしてある映像表示装置２に、映像表示部２４に静止画が表示されていて、光センサ２１０にて検出された光量が閾値未満である場合、映像表示部２４を停止させ、光センサ２１０にて検出された光量が閾値以上である場合、映像表示部２４を駆動させる第２制御部２１を備える。【選択図】図３
2010054727.tif 000002
【特許請求の範囲】
【請求項１】
静止画データを記憶する記憶部と、該記憶部に記憶された静止画データに基づいて静止画を表示し、又は放送信号に係る映像を表示する映像表示部と、外光の明るさを検出する光センサとを備え、該光センサの検出結果に応じて前記映像表示部の動作を制御するようにしてある映像表示装置であって、
前記映像表示部に静止画が表示されていて、前記光センサにて検出された光量が閾値未満である場合、前記映像表示部を停止させ、前記光センサにて検出された光量が閾値以上である場合、前記映像表示部を駆動させる制御手段を備える
ことを特徴とする映像表示装置。
【請求項２】
前記映像表示部は、
映像表示パネルと、該映像表示パネルを照明するバックライトとを備え、
前記制御手段は、
前記記憶部に記憶された静止画データに基づいて、前記映像表示パネルに静止画を表示させる表示制御手段と、
前記映像表示パネルに静止画が表示されていて、前記光センサにて検出された光量が閾値未満である場合、前記バックライトを消灯させ、前記光センサにて検出された光量が閾値以上である場合、前記バックライトを点灯させるバックライト制御手段と
を備えることを特徴とする請求項１に記載の映像表示装置。
【請求項３】
前記バックライトの輝度を受け付ける輝度受付手段を備え、
前記バックライト制御手段は、
前記映像表示パネルに静止画を表示する場合、前記輝度受付手段にて受け付けた輝度で前記バックライトを発光させるようにしてある
ことを特徴とする請求項２に記載の映像表示装置。
【請求項４】
閾値の設定を受け付ける閾値設定受付手段と、
該閾値設定受付手段が閾値の設定を受け付けたときに、前記光センサが検出した光量を閾値に設定する手段と
を備えることを特徴とする請求項２又は請求項３に記載の映像表示装置。
【請求項５】
前記バックライト制御手段は、
前記光センサにて検出された光量の大／小に応じて、前記バックライトの輝度を高輝度／低輝度に変更する輝度変更手段を備える
ことを特徴とする請求項２から請求項４までのいずれか一項に記載の映像表示装置。
【請求項６】
前記光センサは前記映像表示パネルの周縁部に複数配されており、
前記バックライトは、
前記映像表示パネルの背面側に並置された複数の発光素子を備え、
前記輝度変更手段は、
一の光センサにて検出された光量が他の光センサにて検出された光量に比して大きい場合、前記一の光センサ側に配された発光素子を、前記他の光センサ側に配された発光素子に比して高輝度で発光させるようにしてある
ことを特徴とする請求項５に記載の映像表示装置。
【請求項７】
前記バックライト制御手段は、
放送信号に係る映像が前記映像表示パネルに表示されている場合、前記光センサにて検出された光量の大／小に応じて、前記バックライトの輝度を高輝度／低輝度に変更する手段を備え、
静止画が表示されている場合における前記バックライトの輝度の変化速度は、放送信号に係る映像が前記映像表示パネルに表示されている場合に比して遅い
ことを特徴とする請求項５又は請求項６に記載の映像表示装置。
【請求項８】
前記光センサは、断続的に外光の明るさを検出するようにしてあり、
前記バックライト制御手段は、
放送信号に係る映像が前記映像表示パネルに表示されている場合、前記光センサにて検出された光量の大／小に応じて、前記バックライトの輝度を高輝度／低輝度に変更する手段と、
前記光センサにて断続的に検出された複数の光量が略同一である場合、前記バックライトの輝度変更を停止させる手段と、
放送信号に係る映像が前記映像表示パネルに表示されていて、バックライトの輝度変更を停止している場合、前記光センサにて検出された光量の変化量が第１所定値以上であるとき、前記バックライトの輝度変更を開始させる手段と、
静止画が前記映像表示パネルに表示されていて、バックライトの輝度変更を停止している場合、前記光センサにて検出された光量の変化量が、前記第１所定値より大きい第２所定値以上であるとき、前記バックライトの輝度変更を開始させる手段と
を備えることを特徴とする請求項５又は請求項６に記載の映像表示装置。
【請求項９】
前記光センサにて検出された光量が閾値未満になってからの経過時間を計時する計時手段と、
所定時間以上が経過した場合、前記表示制御手段を停止させる手段と
を備えることを特徴とする請求項２から請求項８までのいずれか一項に記載の映像表示装置。
【発明の詳細な説明】
【技術分野】
【０００１】
本発明は、放送信号に係る映像を表示する映像表示装置に関し、特に静止画を壁掛け絵画、写真のように表示する機能を備えた映像表示装置に関する。
【背景技術】
【０００２】
近年、壁掛けタイプの映像表示装置が実用化されている。非特許文献１には、放送信号に基づく映像表示を停止している場合に、予め記憶した静止画、又はＵＳＢから取り込んだ静止画を順次表示する機能を備えた映像表示装置が開示されている。非特許文献１によれば、映像表示の停止時に、黒色の大型表示画面で壁面が覆われるようなことは無い。このため、部屋の雰囲気が損なわれる虞は無く、絵画、写真等の静止画によって部屋の雰囲気を明るくすることが可能になる。ところが、映像表示の停止時においては、どのような状況でも静止画を表示する構成であるため、消費電力が問題となる。
【０００３】
一方、周囲の明るさに連動して、自動的に画面の明るさを調整すると共に、消費電力を抑えることが可能な液晶表示装置が開示されている（例えば特許文献１及び２参照）。特許文献１及び２に係る液晶表示装置は、液晶表示パネルを背面側から照明するバックライト、及び周囲の明るさを検出する光センサを備え、該光センサにて検出された光量に基づいて、バックライトの輝度を制御するように構成されている。
【特許文献１】特開２００８−１２９３８０号公報
【特許文献２】特開平４−１７４８１９号公報
【非特許文献１】「http://www.sony-europe.com/pressrelease/id/1207064686203」ソニー株式会社  ２００８年４月９日
【発明の開示】
【発明が解決しようとする課題】
【０００４】
しかしながら、特許文献１及び２においては、放送映像を表示する場合のバックライト制御を想定しており、壁掛け絵画、写真としての静止画を表示する場合を想定した省電力を行っていない。
【０００５】
本発明は斯かる事情に鑑みてなされたものであり、静止画の表示中に周囲の明るさを検出し、検出した光量が閾値以上である場合、静止画を表示し、検出した光量が閾値未満である場合、静止画の表示を停止するように構成することにより、壁掛け絵画、写真の本質的機能を保ちつつ、効果的な省電力が可能な映像表示装置を提供することを目的とする。
【課題を解決するための手段】
【０００６】
本発明に係る映像表示装置は、静止画データを記憶する記憶部と、該記憶部に記憶された静止画データに基づいて静止画を表示し、又は放送信号に係る映像を表示する映像表示部と、外光の明るさを検出する光センサとを備え、該光センサの検出結果に応じて前記映像表示部の動作を制御するようにしてある映像表示装置であって、前記映像表示部に静止画が表示されていて、前記光センサにて検出された光量が閾値未満である場合、前記映像表示部を停止させ、前記光センサにて検出された光量が閾値以上である場合、前記映像表示部を駆動させる制御手段を備えることを特徴とする。
【０００７】
本発明にあっては、実物の壁掛け絵画、写真のように静止画を映像表示部に表示し、且つ消費電力を削減すべく、光センサにて外光の明るさを検出する。制御手段は、映像表示部に静止画が表示されている場合、光センサにて検出された光量が閾値以上であるとき、つまり使用者が実物の壁掛け絵画、写真を鑑賞することができるような光量であるとき、映像表示部を駆動させる。また、制御手段は、光センサにて検出された光量が閾値未満である場合、つまり使用者が実物の壁掛け絵画、写真を鑑賞することが困難な光量である場合、映像表示部を停止させる。
従って、壁掛け絵画、写真としての本質的機能を損なうこと無く、消費電力を効果的に削減することが可能になる。
【０００８】
本発明に係る映像表示装置は、前記映像表示部は、映像表示パネルと、該映像表示パネルを照明するバックライトとを備え、前記制御手段は、前記記憶部に記憶された静止画データに基づいて、前記映像表示パネルに静止画を表示させる表示制御手段と、前記映像表示パネルに静止画が表示されていて、前記光センサにて検出された光量が閾値未満である場合、前記バックライトを消灯させ、前記光センサにて検出された光量が閾値以上である場合、前記バックライトを点灯させるバックライト制御手段とを備えることを特徴とする。
【０００９】
本発明にあっては、表示制御手段は、記憶部に記憶された静止画データに基づいて、映像表示パネルに静止画を表示させる。バックライト制御手段は、光センサにて検出された光量が閾値以上である場合、バックライトを点灯し、光センサにて検出された光量が閾値未満である場合、バックライトを消灯する。
従って、壁掛け絵画、写真としての本質的機能を損なうこと無く、バックライトの点灯による消費電力を削減することが可能になる。
【００１０】
本発明に係る映像表示装置は、前記バックライトの輝度を受け付ける輝度受付手段を備え、前記バックライト制御手段は、前記映像表示パネルに静止画を表示する場合、前記輝度受付手段にて受け付けた輝度で前記バックライトを発光させるようにしてあることを特徴とする。
【００１１】
本発明にあっては、静止画を表示する際のバックライトの輝度を受け付け、受け付けた輝度でバックライトを発光させる。
従って、映像表示装置の使用者は、使用環境に応じて、バックライトの輝度を変更及び設定することが可能になる。
【００１２】
本発明に係る映像表示装置は、閾値の設定を受け付ける閾値設定受付手段と、該閾値設定受付手段が閾値の設定を受け付けたときに、前記光センサが検出した光量を閾値に設定する手段とを備えることを特徴とする。
【００１３】
本発明にあっては、閾値設定受付手段が閾値の設定を受け付けたときに、光センサが検出した光量を閾値に設定する。
従って、数値によらずとも、設定時の外光の明るさを基準にして、バックライトを点灯及び消灯させるための閾値を設定することができる。
【００１４】
本発明に係る映像表示装置は、前記バックライト制御手段は、前記光センサにて検出された光量の大／小に応じて、前記バックライトの輝度を高輝度／低輝度に変更する輝度変更手段を備えることを特徴とする。
【００１５】
本発明にあっては、光センサにて検出された光量の大／小に応じて、バックライトの輝度を高輝度／低輝度に変更する。つまり、光量が大きい程、バックライトを高輝度で発光させ、光量が小さい程、バックライトを低輝度で発光させる。
従って、外光の明るさに応じた輝度でバックライトを発光させることによって、消費電力を削減することが可能になる。
また、外光の明るさに連動して、静止画の明るさが変化することは、実物の壁掛け絵画、写真と同様であるため、静止画の壁掛け絵画、写真としての本質的機能は損なわれない。
【００１６】
本発明に係る映像表示装置は、前記光センサは前記映像表示パネルの周縁部に複数配されており、前記バックライトは、前記映像表示パネルの背面側に並置された複数の発光素子を備え、前記輝度変更手段は、一の光センサにて検出された光量が他の光センサにて検出された光量に比して大きい場合、前記一の光センサ側に配された発光素子を、前記他の光センサ側に配された発光素子に比して高輝度で発光させるようにしてあることを特徴とする。
【００１７】
本発明にあっては、複数の光センサが映像表示パネルの周縁部に配されているため、映像表示パネルに入射する外光の明るさの偏りを検出することが可能である。そして、一の光センサにて検出された光量が他の光センサにて検出された光量に比して大きい場合、前記一の光センサ側に配された発光素子は、前記他の光センサ側に配された発光素子に比して高輝度で発光する。つまり、実物の壁掛け絵画又は写真のように、明るさが不均一な外光が照射された場合の明るさの偏りを再現すると共に、消費電力を削減することが可能になる。
【００１８】
本発明に係る映像表示装置は、前記バックライト制御手段は、放送信号に係る映像が前記映像表示パネルに表示されている場合、前記光センサにて検出された光量の大／小に応じて、前記バックライトの輝度を高輝度／低輝度に変更する手段を備え、静止画が表示されている場合における前記バックライトの輝度の変化速度は、放送信号に係る映像が前記映像表示パネルに表示されている場合に比して遅いことを特徴とする。
【００１９】
本発明にあっては、光センサにて検出された光量に応じたバックライトの輝度の変化速度は、放送信号に係る映像を表示する場合に比べ、静止画を表示する場合の方が遅い。
静止画を表示している場合の方が、画面の明るさ変化が目立ち易く、不自然であるところ、上述のように構成することで、バックライトの輝度を自然に変更することが可能になる。
【００２０】
本発明に係る映像表示装置は、前記光センサは、断続的に外光の明るさを検出するようにしてあり、前記バックライト制御手段は、放送信号に係る映像が前記映像表示パネルに表示されている場合、前記光センサにて検出された光量の大／小に応じて、前記バックライトの輝度を高輝度／低輝度に変更する手段と、前記光センサにて断続的に検出された複数の光量が略同一である場合、前記バックライトの輝度変更を停止させる手段と、放送信号に係る映像が前記映像表示パネルに表示されていて、バックライトの輝度変更を停止している場合、前記光センサにて検出された光量の変化量が第１所定値以上であるとき、前記バックライトの輝度変更を開始させる手段と、静止画が前記映像表示パネルに表示されていて、バックライトの輝度変更を停止している場合、前記光センサにて検出された光量の変化量が、前記第１所定値より大きい第２所定値以上であるとき、前記バックライトの輝度変更を開始させる手段とを備えることを特徴とする。
【００２１】
本発明にあっては、光センサにて断続的に検出された複数の光量に変化がない場合、バックライトの輝度変更を停止する。放送信号に係る映像を表示している場合、光量変化が第１所定値以上であるとき、バックライトの輝度制御を開始する。また、静止画を表示している場合、光量変化が第２所定値以上であるとき、バックライトの輝度制御を開始する。第２所定値は第１所定値に比べて大きい。
静止画を表示している場合の方が、画面の明るさ変化が目立ち易く、不自然であるところ、上述のように構成することで、バックライトの輝度を自然に変更することが可能になる。
【００２２】
本発明に係る映像表示装置は、前記光センサにて検出された光量が閾値未満になってからの経過時間を計時する計時手段と、所定時間以上が経過した場合、前記表示制御手段を停止させる手段とを備えることを特徴とする。
【００２３】
本発明にあっては、光センサにて検出された光量が閾値未満になってから所定時間以上が経過するまでは、表示制御手段は動作し、所定時間が経過した場合、表示制御手段は停止する。所定時間が経過する前は、再び周囲の光量が閾値以上になる可能性があるため、表示制御手段が停止しないようにする。所定時間が経過した場合、周囲の光量が閾値以上になる可能性は低いため、表示制御手段は停止し、消費電力を削減する。
【発明の効果】
【００２４】
本発明によれば、壁掛け絵画、写真の本質的機能を保ちつつ、効果的な省電力を図ることができる。
【発明を実施するための最良の形態】
【００２５】
以下、本発明をその実施の形態を示す図面に基づいて詳述する。
図１は、本発明の実施の形態に係る表示システムの概要を示す模式図である。本実施の形態に係る表示システムは、映像出力装置１と、通信線４を介して映像出力装置１に接続された映像表示装置２と、遠隔操作装置３とを含む。
【００２６】
映像出力装置１は、壁５に突設されたラック５１上に載置されている。なお、映像出力装置１はラック５１上に載置する他、床に設置されるラック上に載置しても良く、また、壁５の凹部に正面を露出させて埋設するようにしても良い。
映像表示装置２は、壁５にボルト等により取り付け、又は壁５の凹部に表示面を露出させて埋設されている。以下では、映像表示装置２が壁５に取り付けられている例を用いて説明する。
映像出力装置１及び映像表示装置２は通信線４を介して接続されており、ＡＶデータ及び各種制御データを送受信する。通信線４は、例えば、ＨＤＭＩ（High-Definition Multimedia Interface）規格に準拠したＨＤＭＩケーブルであり、映像データ及び音声データを含むＡＶデータを送受信するためのＨＤＭＩ線４１と、各種制御情報を送受信するためのＣＥＣ線４２を含み構成されている（図２参照）。なお、ＨＤＭＩケーブルは通信線の一例であり、他の規格に基づくケーブルの他、６０ＧＨｚ帯のミリ波を利用した無線通信によりＡＶデータ及び各種制御データを送受信するようにしても良い。
【００２７】
映像出力装置１は、地上デジタル放送、デジタル衛星放送、若しくはアナログ放送に係るテレビジョン放送信号を受信するチューナ（Set Top Box）、又はＩＰ（Internet Protocol）ネットワークを介して外部のサーバコンピュータから配信される映像を受信する受信装置（Set Top Box）等である。以下では、一例として映像出力装置１を、チューナであるものとして説明する。
【００２８】
図２は、映像出力装置１のハードウェア構成を示すブロック図である。映像出力装置１はマイクロプロセッサ及びキャッシュメモリ等で構成される第１制御部１１、記憶部１５、入力部１３、受信部１６、第１ＬＥＤ（Light-Emitting Diode）１２１、第２ＬＥＤ１２２、日時情報を第１制御部１１へ出力する時計部１８、放送受信部１９、信号処理部１９１、及びＨＤＭＩ信号送信部１９２等を含んで構成される。
【００２９】
第１制御部１１は、バス１７を介して映像出力装置１のハードウェア各部と接続されていて、それらを制御すると共に、メインメモリ等の記憶部１５に格納された制御プログラム１５Ｐに従って、本実施の形態に係る種々のソフトウェア的機能を実行する。また、第１制御部１１は、ＣＥＣ線４２を介して映像表示装置２が備える後述の第２制御部２１に接続されており、ＨＤＭＩ規格に基づき情報の送受信を行う。
【００３０】
入力部１３は、映像出力装置１の筐体前面に設けられた操作ボタン等であり、入力された操作データを第１制御部１１へ出力する。
【００３１】
受信部１６は、遠隔操作装置３からの操作データを受信するＢｌｕｅｔｏｏｔｈ（登録商標）規格に基づくトランシーバである。
【００３２】
第１ＬＥＤ１２１は、例えば、赤色に発光して、映像出力装置１がスタンバイ状態にあることを示すＬＥＤであり、第１制御部１１の指示に従いオン又はオフする。第２ＬＥＤ１２２は、例えば、青色に発光して、映像出力装置１がオン状態であることを示すＬＥＤであり、第１制御部１１の指示に従いオン又はオフする。第１ＬＥＤ１２１及び第２ＬＥＤ１２２は映像出力装置１の筐体前面に設けられ、映像出力装置１がオフ状態の場合、第１ＬＥＤ１２１及び第２ＬＥＤ１２２は共にオフ状態となる。
【００３３】
放送受信部１９は、テレビジョン放送信号を受信する。なお本実施の形態においてはデジタル放送に係るテレビジョン放送信号を受信する例を挙げて説明するが、アナログ放送に係るテレビジョン放送信号を受信しても良い。放送受信部１９を構成するチューナはＭＰＥＧ（Moving Pictures Experts Group）−２等のプロトコルにより伝送されるデジタル放送に係るデータストリームを受信する。放送受信部１９は復調処理及び復号処理等を行い、復調等の処理が行われた映像データ及び音声データを含むＡＶデータを信号処理部１９１へ出力する。
【００３４】
信号処理部１９１は、内部にＲ、Ｇ、Ｂ各色を補正する補正回路及び各種の映像信号のフォーマットを映像表示部２４で表示することが可能な画素数に変換するスケーラ等を含む。信号処理部１９１にて画像処理等が行われたＡＶデータはＨＤＭＩ信号送信部１９２へ出力される。
【００３５】
ＨＤＭＩ信号送信部１９２は、ＡＶデータを、映像表示装置２へ、ＨＤＭＩ線４１を介して送信する。
【００３６】
次に、映像表示装置２の構成を説明する。
映像表示装置２は、例えば液晶ディスプレイ、有機ＥＬ（Electroluminescence）ディスプレイ、又はプラズマディスプレイ等であり、映像出力装置１とは物理的に分離している。映像表示装置２は、映像データに基づいて映像を表示し、また、音声データに係る音声を出力する。以下では、一例として映像表示装置２を、液晶ディスプレイとして説明する。
【００３７】
図３は、映像表示装置２のハードウェア構成を示すブロック図である。映像表示装置２はマイクロプロセッサ及びキャッシュメモリ等で構成される第２制御部２１、記憶部２５、ＵＳＢスロット２１１、光センサ２１０、ＨＤＭＩ信号受信部２９２、信号処理部２９、データ分離部２９１、スピーカ２９３、並びに映像表示パネル２４１及びＬＥＤバックライト２４２を含む映像表示部２４を含んで構成される。
【００３８】
記憶部２５は、不揮発性メモリ等で構成され、映像表示装置２の動作を制御するための制御プログラム２５Ｐ、静止画データファイル２５１、及び壁掛け絵画、写真を模した静止画を表示する際の明るさに関するモードファイル２５２を格納している。なお、静止画データファイル２５１は図示しない専用のメモリに格納しても良い。静止画データファイル２５１にはＪＰＥＧ（Joint Photographic Experts Group）等の形式による静止画データが記憶されている。
【００３９】
ＵＳＢスロット２１１は、ＵＳＢメモリ６を挿入するためのスロットであり、図１に示すように映像表示装置２の右側面に設けられている。ＵＳＢメモリ６には、内部に映像表示部２４に表示するための静止画データ、例えば使用者がデジタルカメラで撮影した写真の静止画データが記憶されている。
なお、ＵＳＢメモリ６は可搬型記録媒体の一例であり、他の可搬型記録媒体、例えばＳＤ（登録商標）カード、又はメモリーカード等を装着可能に構成しても良い。
【００４０】
第２制御部２１は、バス２７を介して映像表示装置２のハードウェア各部と接続されていて、それらを制御すると共に、記憶部２５に格納された制御プログラム２５Ｐに従って、本実施の形態に係る種々のソフトウェア的機能を実行する。
特に、映像表示装置２は、壁掛け絵画、写真を模した静止画を表示する機能を有しており、該機能を実現するに際して、第２制御部２１は、記憶部２５又はＵＳＢメモリ６から静止画データを読み出し、読み出した静止画データを信号処理部２９に与える処理を実行する。また、後述するように、映像表示装置２は、光センサ２１０にて検出された光量に基づいて、ＬＥＤバックライト２４２の輝度を制御することによって、壁掛け絵画、写真の本質的機能を保ちつつ、省電力を図る機能を有しており、該機能を実現するに際して、第２制御部２１は、該光量に基づいてＬＥＤバックライト２４２の輝度を制御するためのデータを信号処理部２９に与える処理を実行する。上述の処理の詳細は後述する。
【００４１】
ＨＤＭＩ信号受信部２９２は、ＨＤＭＩ信号送信部１９２から送信されたＡＶデータを受信し、受信したＡＶデータを信号処理部２９へ出力する。
【００４２】
信号処理部２９は、ＡＶ信号から映像データと音声データとを分離し、分離された映像データをデータ分離部２９１へ出力すると共に、分離された音声データを映像データの出力に同期させてスピーカ２９３へ出力する。
また、信号処理部２９は、第２制御部２１の指示のもと、映像表示部２４の表示制御を行う他、ＬＥＤバックライト２４２の輝度を制御、例えばＰＷＭ（Pulse-Width Modulation）制御を行う。具体的には、ＬＥＤバックライト２４２の輝度に関する情報としてパルス幅に関する情報を含むＬＥＤデータを映像データに含ませて、データ分離部２９１へ出力する。
一方、第２制御部２１から静止画データが与えられている場合、映像データに代えて、静止画データにＬＥＤデータを含ませ、データ分離部２９１へ出力する。
【００４３】
データ分離部２９１は、映像データ又は静止画データから、ＬＥＤデータを分離し、映像データを映像表示パネル２４１へ出力し、ＬＥＤデータをＬＥＤバックライト２４２へ出力する。
【００４４】
映像表示パネル２４１は、例えば液晶パネルであり、データ分離部２９１から映像データが出力された場合、該映像データに基づいて、映像を表示し、データ分離部２９１から静止画データが出力された場合、該静止画データに基づいて、静止画を表示する。
【００４５】
ＬＥＤバックライト２４２は、映像表示パネル２４１の背面側にマトリクス状に配された複数の発光素子２４２ａを含んでなり、データ分離部２９１から出力されたＬＥＤデータに基づいて、各発光素子２４２ａを指定された輝度で発光させる。なおＬＥＤバックライト２４２に代えて冷陰極管を用いたバックライトであっても良い。
【００４６】
また、映像表示装置２は、ＬＥＤ２２、入力部２３、受信部２６、及び時計部２８を備える。
【００４７】
ＬＥＤ２２は、例えば、映像表示装置２の正面底部に正面を臨んで配置された緑色のＬＥＤであり、映像表示部２４に映像データを表示する際に点灯する。
【００４８】
入力部２３は、映像表示装置２筐体側面に設けられた各種操作ボタンであり、操作に伴う操作データを第２制御部２１へ出力する。
【００４９】
受信部２６は、図示しない映像表示装置２用のリモコンからの操作データを受け付け、受け付けた操作データを第２制御部２１へ出力する。なお、本実施の形態においては遠隔操作装置３から送信される操作データは映像出力装置１の受信部１６へ送信される例を説明するがこれに限るものではない。遠隔操作装置３から送信される操作データを映像表示装置２の受信部２６にて受信するようにしても良い。この場合、操作データは第２制御部２１へ出力され、第２制御部２１は、ＣＥＣ線４２を介して操作データを第１制御部１１へ出力する。
【００５０】
時計部２８は日時情報を第２制御部２１へ出力する。また、時計部２８は、第２制御部２１の指示に従って、時間を計時するタイマー機能を有している。
【００５１】
図４は、遠隔操作装置３のハードウェア構成を示すブロック図である。遠隔操作装置３は、例えば赤外線方式、Ｂｌｕｅｔｏｏｔｈ又はＲＦ方式による遠隔操作装置３であり、映像出力装置１又は映像表示装置２へ操作信号を送信する。以下ではＢｌｕｅｔｏｏｔｈを用いた例を挙げて説明する。
遠隔操作装置３は、制御部３１、送信部３６、電源キー３３１、ピクチャーキー３３２、及び終了キー３３３等を含んで構成される。
【００５２】
制御部３１はバス３７を介して各種ハードウェアに接続されており、各種処理を実行する。
【００５３】
送信部３６は電源キー３３１、ピクチャーキー３３２又は終了キー３３３等から出力された操作データを映像出力装置１の受信部１６へ送信する。電源キー３３１が操作された場合、オン又はオフを示す操作データが送信される。
【００５４】
ピクチャーキー３３２が操作された場合、映像表示装置２の記憶部２５に記憶された静止画データを表示するための指示情報たる操作データが送信部３６を介して、受信部１６へ出力される。また、終了キー３３３が操作された場合、映像出力装置１に対し映像データの出力及び放送の受信を再開させる再開情報たる操作データが送信部３６を介して、受信部１６へ出力される。
【００５５】
図５は、モードファイル２５２のレコードレイアウトを示す説明図である。モードファイル２５２はモードに対応づけてＬＥＤバックライト２４２の輝度制御に関する情報（以下、輝度制御情報という）を記憶している。モードファイル２５２は、モードフィールド、ＬＥＤバックライト輝度フィールド、輝度変化速度フィールド、ＯＰＣ連動・動作モード移行閾値フィールドを含んで構成される。
モードフィールドには、複数のモード、例えば０〜４が記憶されている。特にモード０は放送信号に係る映像を表示する場合のモードであり、モード１〜４は静止画を表示する場合のモードを示している。モード１は、高輝度で静止画を表示する表示モードであり、明るい場所での表示に適している。また、モード２は、中輝度で静止画を表示する表示モードであり、暗めの場所での表示に適している。更に、モード３は、低輝度で静止画を表示するモードであり、輝度を抑えた低消費電力の表示モードである。
【００５６】
ＬＥＤバックライト輝度フィールドには、モードに対応づけて設定すべきＬＥＤバックライト２４２の輝度が記憶されている。例えばモード１に対応するＬＥＤバックライト輝度フィールドには、映像データを表示する際のＬＥＤバックライト２４２の輝度として基準となる１００％が記憶されている。モード２、３に夫々対応するＬＥＤバックライト輝度フィールドには、省電力を図るべく、例えば３０％、１０％が記憶されている。モード０、４に対応するＬＥＤバックライト輝度フィールドには、ＯＰＣ連動によって輝度を決定するための情報が記憶されている。
【００５７】
輝度変化速度フィールドには、周囲の明るさに応じてバックライトの輝度を変更させるときの輝度変更速度が記憶されている。特にモード０に対応する輝度変化速度フィールドには、第１速度が記憶され、モード４に対応する輝度変化速度フィールドには第２速度が記憶されている。第１速度は、例えば１６Ｓｔｅｐ／３２ｍｓ、第２速度は、３２Ｓｔｅｐ／３２ｍｓである。「Ｓｔｅｐ」は、所定の単位輝度レベルを示している。輝度レベルは、光センサ２１０の出力をＡＤ変換して得られたＡＤ値である。
【００５８】
ＯＰＣ連動・動作モード移行閾値フィールドには、周囲の明るさに応じてバックライトの輝度変更を停止している停止モードから、輝度変更を実行する動作モードへ移行すべきか否かを、周囲の明るさ変化に基づいて判断するための閾値が記憶されている。特にモード０に対応するＯＰＣ連動・動作モード移行閾値フィールドには、第１所定値が記憶され、モード４に対応するＯＰＣ連動・動作モード移行閾値フィールドには、第２所定値が記憶されている。第１所定値は、例えば１６Ｓｔｅｐ、第２所定値は、３２Ｓｔｅｐである。
【００５９】
以上のハードウェア構成において映像データ及び静止画データに関する制御手順を、フローチャートを用いて説明する。以下では、まず静止画表示に係るモード設定の制御手順について説明し、次いで静止画の表示に係る制御手順、静止画表示後に映像データの表示を再開するための制御手順の順で説明する。
【００６０】
＜静止画表示に係るモード設定＞
図６は、静止画表示に係るモード設定の処理手順を示すフローチャートである。映像表示装置２の第２制御部２１は、遠隔操作装置３の操作に基づく信号を受信することで、静止画のモード設定画面を映像表示パネル２４１に表示し、静止画表示のモード、つまり静止画を表示する際のＬＥＤバックライト２４２の照明方法を受け付ける（ステップＳ１１）。特にステップＳ１１の処理でモード１〜３を受け付ける第２制御部２１の処理は、ＯＰＣ連動せずにＬＥＤバックライト２４２を発光させる照明方法の選択、及びＬＥＤバックライト２４２の輝度を受け付ける輝度受付手段として機能する。なお、遠隔操作装置３及び映像出力装置１を介して、モード設定を受け付ける例を示したが、映像表示装置２用のリモコン、又は入力部２３によってモードを受け付けるように構成しても良い。
【００６１】
そして、第２制御部２１は、ステップＳ１１で受け付けたモードがＯＰＣ連動モードであるか否か、即ちモード４であるか否かを判定する（ステップＳ１２）。ＯＰＣ連動モードでないと判定した場合（ステップＳ１２：ＮＯ）、第２制御部２１は、受け付けたモードを記憶部２５に記憶させ（ステップＳ１３）、処理を終える。
【００６２】
ＯＰＣ連動モードであると判定した場合（ステップＳ１２：ＹＥＳ）、第２制御部２１は、遠隔操作信号の操作に基づく信号を受信し、周囲の明るさによって静止画表示機能のオンオフを切り替えるための閾値の設定及び閾値の設定方法を受け付ける（ステップＳ１４）。次いで、第２制御部２１は、閾値のマニュアル設定が選択されたか否かを判定する（ステップＳ１５）。閾値のマニュアル設定が選択されなかった場合（ステップＳ１５：ＮＯ）、第２制御部２１は、光センサ２１０にて光量を検出し（ステップＳ１６）、検出された光量を閾値として記憶部２５に記憶させる（ステップＳ１７）。
【００６３】
閾値のマニュアル設定が選択された場合（ステップＳ１５：ＹＥＳ）、第２制御部２１は、遠隔操作装置３による数値入力等によって閾値を受け付け（ステップＳ１８）、受け付けた閾値を記憶部２５に記憶させる（ステップＳ１９）。ステップＳ１７又はステップＳ１９の処理を終えた場合、第２制御部２１は、ステップＳ１１で受け付けたモード、即ちモード４を記憶部２５に記憶させ（ステップＳ２０）、処理を終える。
【００６４】
＜静止画データの表示＞
図７及び図８は、静止画データの表示処理手順を示すフローチャートである。なお、以下の説明では、音声データに関する処理内容については省略する。
映像出力装置１の第１制御部１１は、遠隔操作装置３から電源キー３３１の操作に基づくオン信号を受信した場合、放送受信部１９を起動し、テレビジョン放送信号を受信する（ステップＳ３１）。第１制御部１１は放送受信部１９の起動をトリガに点灯状態にある第１ＬＥＤ１２１をオンからオフとし、また消灯状態にある第２ＬＥＤ１２２をオフからオンとする（ステップＳ３２）。第１制御部１１は、テレビジョン放送信号を信号処理部１９１にて信号処理し、信号処理後の映像データをＨＤＭＩ信号送信部１９２により、ＨＤＭＩ線４１を介して映像表示装置２へ出力する（ステップＳ３３）。
【００６５】
映像表示装置２の第２制御部２１は、内部の各ハードウェアを起動し、ＨＤＭＩ信号受信部２９２を介して、映像データを受信する（ステップＳ３４）。第２制御部２１は、消灯状態にあるＬＥＤ２２をオフからオンとする（ステップＳ３５）。第２制御部２１は、モードファイル２５２からモード０に対応する輝度制御情報を読み出す（ステップＳ３６）。次いで、第２制御部２１は、光センサ２１０にて光量を検出する（ステップＳ３７）。そして、第２制御部２１は、光センサ２１０にて検出した光量の大／小に応じて、ＬＥＤバックライト２４２を高輝度／低輝度で発光させる（ステップＳ３８）。
具体的には、第２制御部２１は、読み出した輝度制御情報と、光センサ２１０にて検出した光量とに基づいてＬＥＤバックライト２４２の輝度を決定し、決定した輝度を信号処理部２９へ出力する。ＬＥＤバックライト２４２の輝度は、光センサ２１０にて検出された光量が大きい程、ＬＥＤバックライト２４２が高輝度で発光するように決定される。輝度制御の詳細は後述する。信号処理部２９は、第２制御部２１の指示に従ってＬＥＤデータをＬＥＤバックライト２４２へ出力し、ＬＥＤバックライト２４２を発光させる。
【００６６】
次いで、信号処理部２９は、映像表示部２４へ映像データを出力して、映像を表示させる（ステップＳ３９）。
【００６７】
以上の処理により映像を視聴しているユーザが、絵画モードへ移行すべく、遠隔操作装置３のピクチャーキー３３２を操作した場合の処理を説明する。
第１制御部１１は、遠隔操作装置３からピクチャーキー３３２の操作に基づく第１操作データを、受信部１６を介して受信したか否かを判断する（ステップＳ４０）。第１制御部１１は、第１操作データを受信していないと判断した場合（ステップＳ４０：ＮＯ）、第１操作データを受信するまで待機する。一方、第１制御部１１は、第１操作データを受信したと判断した場合（ステップＳ４０：ＹＥＳ）、放送受信部１９を停止し、放送の受信を停止すると共に信号処理部１９１及びＨＤＭＩ信号送信部１９２を停止し、映像データの映像表示装置２への出力を停止する（ステップＳ４１）。
【００６８】
これにより映像表示装置２の映像表示部２４への映像データの表示は停止する。第１制御部１１は第１ＬＥＤ１２１をオフからオンとし、また、第２ＬＥＤ１２２をオンからオフとする（ステップＳ４２）。なお、この場合、第１制御部１１は第１ＬＥＤ１２１及び第２ＬＥＤ１２２を共にオフとしても良い。これにより、映像出力装置１は放送受信部１９がオフ、その一方で受信部１６による操作データの受信が可能なスタンバイ状態へ移行し、省電力が図られる。映像出力装置１の第１制御部１１は、ＣＥＣ線４２を介して、第１操作データを映像表示装置２へ出力する（ステップＳ４３）。
【００６９】
映像表示装置２の第２制御部２１は、ＣＥＣ線４２を介して出力された第１操作データを受信する（ステップＳ４４）。第２制御部２１は、点灯状態にあるＬＥＤ２２をオフとする（ステップＳ４５）。これにより、絵画鑑賞時におけるまぶしさを低減でき、額内の絵画としてのたたずまいを演出することが可能となる。そして、第２制御部２１は、静止画表示に係るサブルーチンを呼び出して、静止画を映像表示部２４に表示させ（ステップＳ４６）、処理を終える。
【００７０】
図９は、静止画表示に係る処理手順を示すフローチャートである。第２制御部２１は、ＵＳＢスロット２１１にＵＳＢメモリ６が装着されているか否かを判断する（ステップＳ５１）。第２制御部２１は、ＵＳＢメモリ６が装着されていると判断した場合（ステップＳ５１：ＹＥＳ）、ＵＳＢメモリ６の静止画データファイル６５から静止画データを読み出す（ステップＳ５２）。一方、第２制御部２１は、ＵＳＢメモリ６が装着されていないと判断した場合（ステップＳ５１：ＮＯ）、記憶部２５の静止画データファイル２５１に記憶された静止画データを読み出す（ステップＳ５３）。
【００７１】
信号処理部２９は、ステップＳ５２又はステップＳ５３で読み出した静止画データを映像表示パネル２４１へ出力し表示する（ステップＳ５４）。静止画は、例えば映像表示パネル２４１にハーフサイズ表示される。ハーフサイズ表示とは、映像表示パネル２４１の縦横幅夫々の２分の１以下の寸法で、略中央に静止画を表示する表示方法をいう。
なお、静止画の表示方法は、ハーフサイズ表示に限定されるものでは無く、他の表示方法を採用しても良い。例えば、静止画の縦横比を変化させずに、映像表示パネル２４１全面に静止画を表示する方法、静止画の画素数、縦横比を変化させずに、映像表示パネル２４１に静止画を表示する方法、映像表示パネル２４１と縦横比が異なる静止画を、映像表示パネル２４１の縦横比に変更して画面全体に表示する方法等がある。
また、複数の表示方法の中から、使用者が適宜選択できるように構成しても良い。
【００７２】
そして、第２制御部２１は、光センサ２１０にて光量を検出する（ステップＳ５５）。次いで、第２制御部２１は、記憶部２５から閾値を読み出し、光センサ２１０にて検出された光量が閾値未満であるか否かを判定する（ステップＳ５６）。
【００７３】
検出された光量が閾値未満であると判定した場合（ステップＳ５６：ＹＥＳ）、第２制御部２１は、ＬＥＤバックライト２４２を消灯させる（ステップＳ５７）。また、第２制御部２１は、ＬＥＤバックライト２４２を消灯させたときからの経過時間を時計部２８に計時させる。そして、第２制御部２１は、ＬＥＤバックライト２４２の消灯後所定時間が経過したか否かを判定する（ステップＳ５８）。所定時間が経過したと判定した場合（ステップＳ５８：ＹＥＳ）、第２制御部２１は、映像表示パネル２４１を停止、つまり給電を停止させ（ステップＳ５９）、処理を終える。ＬＥＤバックライト２４２の消灯後所定時間が経過していないと判定した場合（ステップＳ５８：ＮＯ）、第２制御部２１は、処理をステップＳ５５へ戻す。
【００７４】
ステップＳ５６で、光量が閾値未満でないと判定した場合（ステップＳ５６：ＮＯ）、第２制御部２１は、記憶部２５が記憶しているモードを読み出して、ＯＰＣ連動モードが設定されているか否かを判定する（ステップＳ６０）。
【００７５】
ＯＰＣ連動モードが設定されていないと判定した場合（ステップＳ６０：ＮＯ）、第２制御部２１は、設定されているモード１〜３の輝度制御情報を記憶部２５から読み出し（ステップＳ６１）、読み出した輝度制御情報に係る輝度でバックライトを発光させ（ステップＳ６２）、処理をステップＳ５１へ戻す。
【００７６】
ＯＰＣ連動モードが設定されていると判定した場合（ステップＳ６０：ＹＥＳ）、第２制御部２１は、モード４の輝度制御情報を記憶部２５から読み出し（ステップＳ６３）、光センサ２１０にて検出した光量の大／小に応じて、ＬＥＤバックライト２４２を高輝度／低輝度で発光させ（ステップＳ６４）、処理をステップＳ５１へ戻す。
【００７７】
図１０は、各モードにおける光量と、ＬＥＤバックライト２４２の輝度との関係を概念的に示す説明図である。図１０（ａ）は、モード１〜３における光量と、ＬＥＤバックライト２４２の輝度との関係を示し、図１０（ｂ）は、モード４における光量と、ＬＥＤバックライト２４２との関係を示している。横軸は光センサ２１０にて検出された光量を示し、縦軸はＬＥＤバックライト２４２の輝度を示している。
【００７８】
図１０（ａ）、（ｂ）に示すように、モード１〜４のいずれのモードが選択されていても、周囲の光量が閾値未満である場合、ＬＥＤバックライト２４２は消灯する。実物の壁掛け絵画、写真の機能を考えた場合、周囲が暗くなれば当然、絵画も暗くなり、鑑賞し得なくなるところ、静止画を表示する場合も実物の壁掛け絵画、写真と同様、周囲の光量が閾値未満になった場合、ＬＥＤバックライト２４２を消灯し、見えなくする。
このように、ＬＥＤバックライト２４２の輝度を制御することによって、壁掛け絵画、写真の本質的機能を保持しつつ、省電力を図ることが可能になる。
【００７９】
一方、周囲の光量が閾値以上であって、モード１が設定されている場合、第２制御部２１は、ＬＥＤバックライト２４２が高輝度で発光するようにＰＷＭ制御する。同様に、周囲の光量が閾値以上であって、モード２が設定されている場合、第２制御部２１は、ＬＥＤバックライト２４２が中輝度で発光し、モード３が設定されている場合、ＬＥＤバックライト２４２が低輝度で発光するように、ＬＥＤバックライト２４２をＰＷＭ制御する。
また、周囲の光量が閾値以上であって、モード４が設定されている場合、該光量が高い程、ＬＥＤバックライト２４２の輝度が高くなるようにＬＥＤバックライト２４２をＰＷＭ制御する。このように構成することによって、実物の壁掛け絵画、写真のように、周囲の明るさに応じた明るさを有する自然な静止画を表示することが可能になる。また、周囲が暗い場合、ＬＥＤバックライト２４２の輝度を抑えることによって、省電力を図ることが可能になる。
【００８０】
図１１は、ＬＥＤバックライト２４２のエリア制御方法を概念的に示す説明図である。ここでは、静止画をハーフサイズ表示する場合におけるＬＥＤバックライト２４２のエリア制御方法を説明する。静止画がハーフサイズ表示されている場合、該静止画以外の部分には黒色画像が表示される。該黒色画像が表示されている部分については、ＬＥＤバックライト２４２で映像表示パネル２４１を照明する必要が無い。そこで、第２制御部２１は、黒色画像部分に対応する部位のＬＥＤバックライト２４２の発光素子２４２ａを消灯するようにＬＥＤバックライト２４２を制御する。
このように照明が必要な部分の発光素子２４２ａのみを発光させるように構成することによって、ＬＥＤバックライト２４２の消費電力を低減することが可能になる。
【００８１】
次に、ステップＳ６４の処理内容の詳細を説明する。
図１２は、ＯＰＣ連動制御を概念的に示す状態遷移図である。図１２（ｂ）に示すように、静止画を表示する場合におけるＯＰＣ連動制御においては、停止モード６２ａと、動作モード６２ｂとが存在し、ステップＳ６４の処理開始直後は、動作モード６２ｂにある。動作モード６２ｂは、周囲の光量に応じてＬＥＤバックライト２４２の輝度を変更させる制御を行っている状態であり、停止モード６２ａは、ＬＥＤバックライト２４２の輝度を変更させる制御を停止している状態である。以下、各モードの遷移手順の詳細を説明する。
【００８２】
図１３は、動作モードにおける処理手順を示すフローチャートである。第２制御部２１は、静止画を表示している場合、光センサ２１０にて光量を検出し（ステップＳ７１）、記憶部２５から第２速度を読み出す（ステップＳ７２）。そして、第２制御部２１は、検出された光量に応じた輝度でＬＥＤバックライト２４２が発光するように、ＬＥＤバックライト２４２の輝度を第２速度で変化させる（ステップＳ７３）。つまり、検出された光量に対応する輝度と、現在のＬＥＤバックライト２４２の輝度とが大きく異なる場合であっても、映像表示パネル２４１の明るさが急激に変化しないように、ＬＥＤバックライト２４２の輝度を第２速度で変化させる。
【００８３】
次いで、第２制御部２１は、ステップＳ７１で周期的に検出された各光量を比較し、所定回数光量の変化が無かったか否かを判定する（ステップＳ７４）。光量の変化があったと判定した場合（ステップＳ７４：ＮＯ）、第２制御部２１は、処理をステップＳ７１へ戻す。所定回数光量の変化が無かった判定した場合（ステップＳ７４：ＹＥＳ）、第２制御部２１は、停止モード６２ａへ移行させ（ステップＳ７５）、処理を終える。
所定回数光量の変化が無かった場合、停止モード６２ａへ移行させることによって、周囲の光量が変化してもＬＥＤバックライト２４２の輝度を変化させないようにし、映像表示部２４の明るさのばたつきを抑えることができる。
【００８４】
図１４は、停止モードにおける処理手順を示すフローチャートである。第２制御部２１は、時計部２８にて計時を開始し（ステップＳ９１）、光センサ２１０にて光量を検出する（ステップＳ９２）。そして、第２制御部２１は、記憶部２５から第２所定値を読み出し、前回の光量と、今回検出された光量との差が第２所定値未満であるか否かを判定する（ステップＳ９３）。光量の差が第２所定値以上であると判定した場合（ステップＳ９３：ＮＯ）、つまりＬＥＤバックライト２４２の輝度制御が必要な程、周囲の光量が変化しているような場合、第２制御部２１は、動作モード６２ｂへ移行し（ステップＳ９７）、処理を終える。
【００８５】
光量の差が第２所定値未満であると判定した場合（ステップＳ９３：ＹＥＳ）、第２制御部２１は、所定の対応確認時間が経過したか否かを判定する（ステップＳ９４）。対応確認時間の経過を監視するのは、ステップＳ９３光量差が第２所定値未満であると判定されることが連続した場合、周囲の光量に対応するＬＥＤバックライト２４２の輝度と、現在のＬＥＤバックライト２４２の輝度との間に齟齬が生ずる虞があり、周囲の光量と、現在のＬＥＤバックライト２４２の輝度とが対応しているか否かを定期的に確認する必要があるためである。
【００８６】
所定の対応確認時間が経過していないと判定した場合（ステップＳ９４：ＮＯ）、第２制御部２１は、処理をステップＳ９２へ戻す。所定の対応確認時間が経過したと判定した場合（ステップＳ９４：ＹＥＳ）、第２制御部２１は、時計部２８をリセットし（ステップＳ９５）、光センサ２１０にて検出された光量と、現在のＬＥＤバックライト２４２の輝度とが対応しているか否かを判定する（ステップＳ９６）。
対応していると判定した場合（ステップＳ９６：ＹＥＳ）、第２制御部２１は、処理をステップＳ９２へ戻す。光センサ２１０にて検出された光量と、現在のＬＥＤバックライト２４２の輝度とが対応していないと判定した場合（ステップＳ９６：ＮＯ）、第２制御部２１は、動作モード６２ｂへ移行し（ステップＳ９７）、処理を終える。
【００８７】
以上の処理手順によって、図１２（ｂ）に示す停止モード６２ａと、動作モード６２ｂとを遷移し、映像表示部２４の明るさの変化速度が抑えられるように、ＬＥＤバックライト２４２の輝度を制御することができる。
また、図１２（ａ）に示すように、テレビジョン放送に係る映像を表示する場合におけるＯＰＣ連動制御においても、同様の停止モード６１ａ及び動作モード６１ｂがあり、各モード間の遷移手順は、静止画の場合と同様である。
ただ、映像を表示する場合にＬＥＤバックライト２４２の輝度を変化させる第１速度は、静止画を表示する場合における第２速度に比べて速い。また、映像を表示している場合に停止モード６１ａから動作モード６１ｂへ移行するために必要な光量差を示す第１所定値は、静止画を表示している場合に使用する第２所定値に比べて大きい。
このように、静止画を表示している場合、テレビジョン放送に係る映像を表示している場合に比べ、ＬＥＤバックライト２４２の輝度が緩やかに変動し、且つ明るさが頻繁に変動しないようにすることができる。
【００８８】
＜映像データの表示再開＞
図１５及び図１６は、静止画データ表示後に映像データの表示を再開する手順を示すフローチャートである。ステップＳ４３において第１操作データを出力し、ステップＳ４６により映像表示装置２に静止画データを表示している場合に、スタンバイ状態にある第１制御部１１は遠隔操作装置３から受信部１６を介して、第１操作データを受信したか否かを判断する（ステップＳ１１０）。第１制御部１１は第１操作データを受信したと判断した場合（ステップＳ１１０：ＹＥＳ）、当該受信した第１操作データを破棄する（ステップＳ１１１）。具体的には、第１制御部１１は第１操作データを受信したとしても、放送受信部１９の起動による放送の受信、映像データの出力、第１ＬＥＤ１２１のオフ、第２ＬＥＤ１２２のオン、映像表示装置２に対する第２操作データの送信等、第１操作データに基づく処理を実行しない制御を行う。その後処理をステップＳ１１０に戻す。
【００８９】
第１制御部１１は第１操作データを受信していないと判断した場合（ステップＳ１１０：ＮＯ）、第２操作データを受信したか否かを判断する（ステップＳ１１２）。具体的には、ユーザが遠隔操作装置３の終了キー３３３を操作したことに伴い遠隔操作装置３から送信された第２操作データを、受信部１６にて受信したか否かを判断する。第１制御部１１は第２操作データを受信していないと判断した場合（ステップＳ１１２：ＮＯ）、再び処理をステップＳ１１０へ戻す。一方第１制御部１１は第２操作データを受信したと判断した場合（ステップＳ１１２：ＹＥＳ）、放送受信部１９を起動し、デジタル放送の受信を再開する（ステップＳ１１３）。即ちスタンバイ状態からオン状態へと移行する。
【００９０】
第１制御部１１は赤色にて点灯状態にある第１ＬＥＤ１２１をオンからオフとし、消灯状態にある第２ＬＥＤ１２２をオフからオンとする（ステップＳ１１４）。第１制御部１１はＣＥＣ線４２を介して、第２操作データを第２制御部２１へ出力する（ステップＳ１１５）。映像出力装置１における放送受信部１９における放送の受信処理及び信号処理部１９１における信号処理には所定時間を要するため、映像表示装置２においてもこれと並行して静止画データの表示、即ち絵画モードから映像データの表示処理への移行を行う。
【００９１】
映像表示装置２の第２制御部２１は、第２操作データを受信する（ステップＳ１１６）。第２制御部２１は、記憶部２５の静止画データファイル２５１、又はＵＳＢメモリ６からの静止画データの読み出し、並びに、映像表示部２４への静止画データの表示を停止する（ステップＳ１１７）。第２制御部２１は、消灯状態にあるＬＥＤ２２をオフからオンとする（ステップＳ１１８）。
【００９２】
映像出力装置１のＨＤＭＩ信号送信部１９２は信号処理後の映像データを、ＨＤＭＩ線４１を介して映像表示装置２のＨＤＭＩ信号受信部２９２へ出力する（ステップＳ１１９）。映像表示装置２のＨＤＭＩ信号受信部２９２は出力された映像データを受信する（ステップＳ１２０）。第２制御部２１は、モードファイル２５２からモード０に対応する輝度制御情報を読み出す（ステップＳ１２１）。次いで、第２制御部２１は、光センサ２１０にて光量を検出する（ステップＳ１２２）。そして、第２制御部２１は、光センサ２１０にて検出した光量の大／小に応じて、ＬＥＤバックライト２４２を高輝度／低輝度で発光させる（ステップＳ１２３）。信号処理部２９は映像表示部２４に映像データを表示し（ステップＳ１２４）、また出力されたＬＥＤ強度に従いＬＥＤバックライト２４２をＰＷＭ制御する。
【００９３】
本実施の形態に係る映像表示システム及び映像表示装置２にあっては、周囲の光量が閾値未満になった場合ＬＥＤバックライト２４２を消灯し、光量が閾値以上になった場合、点灯するように構成されているため、壁掛け絵画、写真の本質的機能を保ちつつ、効果的に省電力を図ることができる。
【００９４】
また、光量が閾値未満になった場合、所定時間の間は、映像表示パネル２４１を駆動したまま、ＬＥＤバックライト２４２を消灯させるように構成してあるため、光量が再び閾値以上になっても、直ちに静止画の表示を再開することができる。
【００９５】
更に、光量が閾値未満になって所定時間が経過した場合、映像表示パネル２４１の動作も停止させるように構成してあるため、更なる省電力を図ることができる。
【００９６】
更にまた、静止画を表示する際のＬＥＤバックライト２４２の輝度を、映像表示システムの使用環境に応じて適宜設定することができる。
【００９７】
更にまた、静止画を表示している場合におけるＬＥＤバックライト２４２の点灯及び消灯の切り替えを行うための閾値を、マニュアル設定することができる。また、閾値設定時の、周囲の明るさを閾値として簡易に設定することができる。
【００９８】
更にまた、周囲の光量に応じて、ＬＥＤバックライト２４２の輝度を変更する構成であるため、輝度を一定に制御する場合に比べて、より効果的に消費電力を削減することができる。
【００９９】
更にまた、ハーフサイズの静止画を表示する際、黒色画像部分に対応する発光素子２４２ａを消灯することによって、より効果的に消費電力を削減することができる。
【０１００】
更にまた、静止画を表示する場合、映像を表示する場合に比べてＬＥＤバックライト２４２の輝度を緩やかに変化させるように構成されているため、映像表示部２４の明るさをより自然に変更することができる。
【０１０１】
更にまた、静止画を表示する際、映像出力装置１側を停止し、静止画の表示を映像表示装置２側で処理するように構成してあるため、より効率的に消費電力を削減することができる。
【０１０２】
（変形例１）
変形例１に係る映像表示システム及び映像表示装置２は、実施の形態で説明したモード１〜３においても、周囲の明るさに応じてＬＥＤバックライト２４２の輝度を調整するように構成されている。
図１７は、各モードにおける光量と、ＬＥＤバックライト２４２の輝度との関係を概念的に示す説明図である。横軸は光センサ２１０にて検出された光量を示し、縦軸はＬＥＤバックライト２４２の輝度を示している。
【０１０３】
モード１は、高輝度で静止画を表示する表示モードである。光センサ２１０にて検出された光量が閾値と同値である場合、所定の第１輝度、例えば８０％の輝度でＬＥＤバックライト２４２を発光させる。そして、第２制御部２１は、第１輝度を基点として、光センサ２１０にて検出された光量が閾値より大きい程、ＬＥＤバックライト２４２の輝度が高くなるように制御する。
同様に、モード２は、中輝度で静止画を表示する表示モードであり、光センサ２１０にて検出された光量が閾値と同値である場合、前記第１輝度より低輝度の第２輝度、例えば５０％の輝度でＬＥＤバックライト２４２を発光させる。そして、第２制御部２１は、第２輝度を基点として、光センサ２１０にて検出された光量が閾値より大きい程、ＬＥＤバックライト２４２の輝度が高くなるように制御する。
また、モード３は、低輝度で静止画を表示するモードであり、輝度を抑えた低消費電力の表示モードであり、光センサ２１０にて検出された光量が閾値と同値である場合、前記第２輝度より低輝度の第３輝度、例えば２０％の輝度でＬＥＤバックライト２４２を発光させる。そして、第２制御部２１は、第３輝度を基点として、光センサ２１０にて検出された光量が閾値より大きい程、ＬＥＤバックライト２４２の輝度が高くなるように制御する。
【０１０４】
変形例１にあっては、モード１〜３のいずれかを選択することによって、ＬＥＤバックライト２４２の基本的な明るさ、例えば周囲の光量が閾値と同値であるときのＬＥＤバックライト２４２の輝度を設定することができ、該輝度を基準とした上で、周囲の光量に応じたＬＥＤバックライト２４２の輝度の変更を行うことができる。
従って、映像表示システム及び映像表示装置の使用環境に応じた、より柔軟な明るさ制御を行うことができる。
【０１０５】
（変形例２）
変形例２に係る映像表示システム及び映像表示装置２は、複数の光センサ２１０、例えば４個の光センサ２１０を備え、各光センサ２１０にて検出された光量を取得し、取得した光量に基づいて、ＬＥＤバックライト２４２の発光素子２４２ａの輝度を制御する。４個の光センサ２１０は、例えば、映像表示パネル２４１の４辺、即ち上辺、下辺、右辺、左辺夫々の略中央部に設けられている。
【０１０６】
図１８及び図１９は、変形例２に係るＬＥＤバックライト２４２の輝度制御方法を概念的に示す説明図である。図１８（ａ）は、外光が右上方から入射しており、外光によって映像表示パネル２４１の右上部分が左下部分に比べて明るい状態を示している。図１８（ａ）に示す状態においては、右辺に設けられた光センサ２１０にて検出された光量は、左辺に設けられた光センサ２１０で検出した光量より大きい。また、上辺に設けられた光センサ２１０で検出した光量は、下辺に設けられた光センサ２１０で検出した光量に比べて大きい。第２制御部２１は、各光センサ２１０で検出した光量に基づいて、外光の光量分布に関する情報を得ることができる。
そして、第２制御部２１は、一の光センサ２１０にて検出された光量が他の光センサ２１０にて検出された光量に比して大きい場合、一の光センサ２１０側に配された発光素子２４２ａを、他の光センサ２１０側に配された発光素子２４２ａに比して高輝度で発光させる。
図１８（ａ）に示すような光量分布においては、第２制御部２１は、映像表示パネル２４１の右側部分に配された発光素子２４２ａを、映像表示パネル２４１の左側部分に配された発光素子２４２ａよりも高輝度で発光させる。また、上側部分に配された発光素子２４２ａを、映像表示パネル２４１の下側部分に配された発光素子２４２ａよりも高輝度で発光させる。
【０１０７】
一方、図１８（ｂ）は、外光が左上方から入射しており、外光によって映像表示パネル２４１の左上部分が右下部分に比べて明るい状態を示している。図１８（ｂ）に示す状態においては、右辺に設けられた光センサ２１０で検出した光量は、左辺に設けられた光センサ２１０で検出した光量より小さい。また、上辺に設けられた光センサ２１０で検出した光量は、下辺に設けられた光センサ２１０で検出した光量に比べて大きい。第２制御部２１は、映像表示パネル２４１の右側部分に配された発光素子２４２ａを、映像表示パネル２４１の左側部分に配された発光素子２４２ａよりも低輝度で発光させる。また、上側部分に配された発光素子２４２ａを、映像表示パネル２４１の下側部分に配された発光素子２４２ａよりも高輝度で発光させる。
【０１０８】
また、図１９（ａ）は、外光が右方から入射しており、外光によって映像表示パネル２４１の右側部分が左側部分に比べて明るい状態を示している。図１９（ａ）に示す状態においては、右辺に設けられた光センサ２１０で検出した光量は、左辺に設けられた光センサ２１０で検出した光量より小さい。また、上辺に設けられた光センサ２１０で検出した光量と、下辺に設けられた光センサ２１０で検出した光量とは略同値である。第２制御部２１は、映像表示パネル２４１の右側部分に配された発光素子２４２ａを、映像表示パネル２４１の左側部分に配された発光素子２４２ａよりも高輝度で発光させる。また、上側部分に配された発光素子２４２ａと、映像表示パネル２４１の下側部分に配された発光素子２４２ａとを同程度の輝度で発光させる。
【０１０９】
更に、図１９（ｂ）は、外光が上方から入射しており、外光によって映像表示パネル２４１の上部分が下部分に比べて明るい状態を示している。図１９（ｂ）に示す状態においては、右辺に設けられた光センサ２１０で検出した光量と、左辺に設けられた光センサ２１０で検出した光量とは略同値である。また、上辺に設けられた光センサ２１０で検出した光量は、下辺に設けられた光センサ２１０で検出した光量に比べて高輝度である。第２制御部２１は、映像表示パネル２４１の上部分に配された発光素子２４２ａを、映像表示パネル２４１の下側部分に配された発光素子２４２ａよりも高輝度で発光させる。また、右側部分に配された発光素子２４２ａと、映像表示パネル２４１の左側部分に配された発光素子２４２ａとを同程度の輝度で発光させる。
【０１１０】
変形例２に係る映像表示システム及び映像表示装置２にあっては、周囲の光量の分布を考慮して、ＬＥＤバックライト２４２の輝度をエリア制御することができ、壁掛け絵画、写真を模した静止画をより自然に表示することができると共に、消費電力を削減することができる。
【０１１１】
なお、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【０１１２】
【図１】本発明の実施の形態に係る表示システムの概要を示す模式図である。
【図２】映像出力装置のハードウェア構成を示すブロック図である。
【図３】映像表示装置のハードウェア構成を示すブロック図である。
【図４】遠隔操作装置のハードウェア構成を示すブロック図である。
【図５】モードファイルのレコードレイアウトを示す説明図である。
【図６】静止画表示に係るモード設定の処理手順を示すフローチャートである。
【図７】静止画データの表示処理手順を示すフローチャートである。
【図８】静止画データの表示処理手順を示すフローチャートである。
【図９】静止画表示に係る処理手順を示すフローチャートである。
【図１０】各モードにおける光量と、ＬＥＤバックライトの輝度との関係を概念的に示す説明図である。
【図１１】ＬＥＤバックライトのエリア制御方法を概念的に示す説明図である。
【図１２】ＯＰＣ連動制御を概念的に示す状態遷移図である。
【図１３】動作モードにおける処理手順を示すフローチャートである。
【図１４】停止モードにおける処理手順を示すフローチャートである。
【図１５】静止画データ表示後に映像データの表示を再開する手順を示すフローチャートである。
【図１６】静止画データ表示後に映像データの表示を再開する手順を示すフローチャートである。
【図１７】各モードにおける光量と、ＬＥＤバックライトの輝度との関係を概念的に示す説明図である。
【図１８】変形例２に係るＬＥＤバックライトの輝度制御方法を概念的に示す説明図である。
【図１９】変形例２に係るＬＥＤバックライトの輝度制御方法を概念的に示す説明図である。
【符号の説明】
【０１１３】
１  映像出力装置
２  映像表示装置
３  遠隔操作装置
４  通信線
６  ＵＳＢメモリ
１１  第１制御部
２１  第２制御部
２４  映像表示部
２５  記憶部
２８  時計部
２１１  ＵＳＢスロット
２５１  静止画データファイル
２５２  モードファイル
２１０  光センサ
２４１  映像表示パネル
２４２  ＬＥＤバックライト
２４２ａ  発光素子
【図１】
2010054727.tif 000003
【図２】
2010054727.tif 000004
【図３】
2010054727.tif 000005
【図４】
2010054727.tif 000006
【図５】
2010054727.tif 000007
【図６】
2010054727.tif 000008
【図７】
2010054727.tif 000009
【図８】
2010054727.tif 000010
【図９】
2010054727.tif 000011
【図１０】
2010054727.tif 000012
【図１１】
2010054727.tif 000013
【図１２】
2010054727.tif 000014
【図１３】
2010054727.tif 000015
【図１４】
2010054727.tif 000016
【図１５】
2010054727.tif 000017
【図１６】
2010054727.tif 000018
【図１７】
2010054727.tif 000019
【図１８】
2010054727.tif 000020
【図１９】
2010054727.tif 000021